(57)【要約】【課題】安価な単一素材により手軽かつコスト的に有利に多種多様な造形物を自在に作製でき、装飾工芸の普及・拡販に寄与する中空立体状の装飾造形体およびその製造方法を提供する。【解決手段】繊維性布体１、２を接着により貼り合わせて積層布３を造り、積層布３から適宜の大きさの裁断片部４〜６を形成し、裁断片部４〜６から台布および中空立体状の造形体を作製し、台布に造形体を接着するとともに透明あるいは着色性のビーズを接着する。積層布３は繊維性布体１、２を接着により貼り合わせて造るので、安価な単一素材となり、積層布３を圧延部で熱変形させることにより積層布３から自由に中空立体状の造形体を造ることができる。【選択図】　　　　図２
2004073540.tif 000002
【特許請求の範囲】
【請求項１】
互いに異なる素地の繊維性布体を接着により貼り合わせて積層布を作製し、この積層布を適宜の大きさに裁断した裁断片部から台布を造るとともに、前記裁断片部を圧延部により熱変形させて造形体を造り、この造形体を前記台布上に接着により組み合わせて中空立体状に作製して前記造形体に透明あるいは着色性のビーズを取り付けることを特徴とする中空立体状の装飾造形体。
【請求項２】
前記積層布の前記繊維性布体は天然繊維あるいは天然繊維を主成分とする混紡であることを特徴とする請求項１に記載の中空立体状の装飾造形体。
【請求項３】
前記ビーズは前記造形体に接着により取り付けられていることを特徴とする請求項２に記載の中空立体状の装飾造形体。
【請求項４】
前記造形体と前記台布あるいは前記造形体同士の接着部に沿って装飾用の細紐部が接着されていることを特徴とする請求項１ないし請求項３のいずれかに記載の中空立体状の装飾造形体。
【請求項５】
前記積層布の繊維性布体のうち一方は荒めの装飾模様で編み合わされ、他方は密に編み合わせた絹、麻、綿あるいはデニムなどの天然繊維により形成されていることを特徴とする請求項１ないし請求項４のいずれかに記載の中空立体状の装飾造形体。
【請求項６】
前記ビーズの直径は１〜４ｍｍで高さ寸法は２〜６ｍｍであることを特徴とする請求項１ないし請求項５のいずれかに記載の中空立体状の装飾造形体。
【請求項７】
互いに異なる素地の繊維性布体からなる積層布を接着により貼り合わせる工程と、
前記積層布を適宜の大きさに裁断した裁断片部から台布を造る工程と、
前記裁断片部を圧延部により熱変形させて造形体を造り、この造形体を前記台布上に接着により組み合わせて中空立体状に作製して前記造形体に透明あるいは着色性のビーズを取り付ける工程とを有することを特徴とする中空立体状の装飾造形体の製造方法。
【請求項８】
前記積層布の前記繊維性布体は天然繊維あるいは天然繊維を主成分とする混紡であることを特徴とする請求項７に記載の中空立体状の装飾造形体の製造方法。
【請求項９】
前記ビーズは前記造形体に接着により取り付けられていることを特徴とする請求項８に記載の中空立体状の装飾造形体の製造方法。
【請求項１０】
前記造形体と前記台布あるいは前記造形体同士の接着部に沿って装飾用の細紐部が接着されていることを特徴とする請求項７ないし請求項９のいずれかに記載の中空立体状の装飾造形体の製造方法。
【請求項１１】
前記積層布の前記繊維性布体のうち一方は荒めの装飾模様で編み合わされ、他方は密に編み合わせた絹、麻、綿あるいはデニムなどの天然繊維により形成されていることを特徴とする請求項７ないし請求項１０のいずれかに記載の中空立体状の装飾造形体の製造方法。
【請求項１２】
前記ビーズの直径は１〜４ｍｍで高さ寸法は２〜６ｍｍであることを特徴とする請求項７ないし請求項１１のいずれかに記載の中空立体状の装飾造形体の製造方法。
【発明の詳細な説明】
【０００１】
【発明の属する技術分野】
本発明は、アクセサリー、ブローチ、コサージュあるいは置物などの手作り工芸品といった中空立体状の装飾造形体およびその製造方法に関する。
【０００２】
【従来の技術】
アクセサリーやブローチなどの装飾造形体については、特開平１−２８５２０５号公報や特開平６−１２７２００号公報に記載されている。前者では、ビーズなどを用いて装飾をアクセントにするとともに、芳香性粉粒体を組み込んで、着用者や看者などの嗅覚に訴えて陶酔感などを与えるように趣向を凝らしている。後者では、松ぼっくりなどの自然素材の持つ風合いを利用し、花芯部にビーズをあしらった菊花状の形態物を創出している。
【０００３】
【発明が解決しようとする課題】
特開平１−２８５２０５号公報ではブローチなどの芳香性を強調し、特開平６−１２７２００号公報では自然素材の風合いを主張しているが、簡素で安価な単一素材により多種多様な造形物を自在に作製できるまでには至っていない。そこで、安価で扱い易い共通の単一素材により想像の赴くままに多種多様な造形物を簡単な手作業で自在に作製できることが求められていた。
【０００４】
本発明は上記の要請に鑑みてなされたもので、その目的は繊維性布体の積層布を台布および造形体に使用することにより、安価な単一素材により手軽かつコスト的に有利に多種多様な造形物を自在に造作することができて装飾工芸の普及・拡販に寄与する中空立体状の装飾造形体およびその製造方法を提供することにある。
【０００５】
【課題を解決するための手段】
（請求項１について）
互いに異なる素地の繊維性布体を接着により貼り合わせて積層布を作製し、この積層布を適宜の大きさに裁断した裁断片部から台布を造るとともに、前記裁断片部を圧延部により熱変形させて造形体を造り、この造形体を前記台布上に接着により組み合わせて中空立体状に作製して前記造形体に透明あるいは着色性のビーズを取り付けることを特徴とする。
（請求項２、８について）
前記積層布の前記繊維性布体は天然繊維あるいは天然繊維を主成分とする混紡であることを特徴とする。
【０００６】
（請求項３、９について）
前記ビーズは前記造形体に接着により取り付けられていることを特徴とする。
（請求項４、１０について）
前記造形体と前記台布あるいは前記造形体同士の接着部に沿って装飾用の細紐部が接着されていることを特徴とする。
【０００７】
（請求項５、１１について）
前記積層布の繊維性布体のうち一方は荒めの装飾模様で編み合わされ、他方は密に編み合わせた絹、麻、綿あるいはデニムなどの天然繊維により形成されていることを特徴とする。
（請求項６、１２について）
前記ビーズの直径は１〜４ｍｍで高さ寸法は２〜６ｍｍであることを特徴とする。
（請求項７について）
互いに異なる素地の繊維性布体からなる積層布を接着により貼り合わせる工程と、前記積層布を適宜の大きさに裁断した裁断片部から台布を造る工程と、前記裁断片部を圧延部により熱変形させて造形体を造り、この造形体を前記台布上に接着により組み合わせて中空立体状に作製して前記造形体に透明あるいは着色性のビーズを取り付ける工程とを有することを特徴とする。
【０００８】
【発明の作用および効果】
（請求項１、７について）
積層布を適宜の大きさに裁断して形成した台布および造形体を接着により組み合わせて中空立体状の造形体を作製する。積層布は繊維性布体を接着により貼り合わせて造るので、安価な単一素材となり、裁断片部を圧延部により熱変形させることにより自由に中空立体状の造形体を造ることができる。台布に造形体を接着により組み合わせて中空立体状の造形体を形成するので、台布とともに様々な造形体を手軽かつ自在に造ることができる。透明あるいは着色性のビーズを用いることにより、ビーズが鮮やかな印象を与えるアクセントとなって装飾性が一層向上する。
【０００９】
（請求項２、８について）
積層布の繊維性布体は天然繊維あるいは天然繊維を主成分とする混紡であるため、繊維性布体が素材として手軽で安価に入手できる便宜が得られる。
【００１０】
（請求項３、９について）
ビーズを接着により造形体に取り付けているため、ビーズが有する柔軟な装飾機能を十分に利用でき、簡単な手作業により造形の多様化を手軽に実現することができる。
（請求項４、１０について）
台布と造形体あるいは造形体同士の接着部に沿って装飾用の細紐部を接着しているため、細紐部が有する独特の印象から全体の審美性を一層高めることができる。
【００１１】
（請求項５、１１について）
積層布の繊維性布体のうち、一方は荒めの装飾模様で編み合わされ、他方は、密に編み合わせた絹、麻、綿あるいはデニムなどの天然繊維により形成されている。このため、積層布から得た台布に造形体を自由に組み合わせて様々な模様で造形でき、素材としての積層布が造形性に富みながらも手軽で扱い易くなり装飾工芸の普及・拡販に寄与することができる。
（請求項６、１２について）
ビーズの直径は１〜４ｍｍで高さ寸法は２〜６ｍｍであるため、他の装飾要素と調和してビーズによる効果的な審美性および装飾性が得られる。
【００１２】
【発明の実施の形態】
本発明の実施例を図面に基づいて説明する。
図１は互いに異なる素地の繊維性布体１、２に刷毛Ｈを用いてエポキシ系などの接着剤を塗布して繊維性布体１、２を貼り合わせて積層布３を構成している。表側となる繊維性布体１には、荒めの装飾模様で編み合わせた絹、麻、綿あるいはデニムなどの天然繊維を適用している。裏側となる繊維性布体２には、密に編み合わせた絹、麻、亜麻、綿、ビロードあるいはデニムなどの天然繊維を用いている。これらの繊維性布体１、２は、天然繊維を主成分とした混紡で形成してもよい。繊維性布体１には、魚鱗模様をはじめ亀甲つなぎ、市松模様（水玉模様）、格子模様、杉綾織（ヘリングボーン）あるいは霜降り模様など日本古来の伝統文様を施してもよい。後述するように台布２１となる積層布３には、麻、亜麻、綿あるいはデニムなどの強度に優れた繊維を採用する。天布となる積層布３には、絹あるいはビロードなどの柔らかい繊維を使用して繊細かつ柔らかな質感を表出させるようにしている。
【００１３】
造形にあたっては、図２に示すように、積層布３を裁断して円形、ハート形および細長片状の裁断片部４、５、６を設ける。図３に示すように裁断片部４、５、６を熱こてやローラなどの圧延部Ｋにより適宜に湾曲状に熱変形させて中空立体状にすると、裁断片部４は皿状の造形体７になり、裁断片部５は貝殻状の造形体８になり、裁断片部６は樋状の造形体１０をはじめリング状およびドーナツ状の造形体１１、１２に造作される。
【００１４】
図４に示す造形体１３、１４を接着剤Ｄにより貼り合わせ、開口部Ｐに蓋状の造形体１５を貼り合わせると、花弁状の造形体１６が中空立体状に作製される。図５および図６に示すように、ドーナツ状の造形体１２に裁断片部４を貼り合わせて接着部に刺繍紐などの細紐部１７を接着すると、細紐部１７により補強された中空立体状の造形体１８が得られる。リング状の造形体１１を熱変形などにより略くの字状に曲成して開口面に蓋状の造形体２０を天布として細紐部１７とともに貼り合わせると、植物の葉などを模した中空立体状の造形体１９が得られる。
【００１５】
図７に示すように、造形体１８に複数の造形体１９を接着により組み合わせるとともに、積層布３を裁断して得られた台布２１を予め用意しておく。造形体１８、１９の裏面側に台布２１を細紐部１７とともに貼り合わせて装着用の安全ピンＳｐを取り付ける。これにより、図８及び図９に示すように強度的に十分な中空立体状の造形体２２が造られる。造形体１８の裁断片部４に細紐部２３を用いて花芯部を形成し、周辺部に弧状の細紐部２３を周方向に等間隔に貼り合わせる。細紐部２３で囲まれた部分には、無色あるいは着色性のビーズ２４を多数接着する。そして、造形体１８の外周部に図４の造形体１６を花弁として適宜に接着すると、図１０に示すように切花を模したコサージュ２５が中空立体状の装飾造形体として完成する。この場合、効果的な審美性および装飾性の観点からビーズ２４の大きさは、直径１〜４ｍｍで高さ寸法が２〜６ｍｍの範囲になるように設定している。
【００１６】
積層布３は繊維性布体１、２を接着により貼り合わせて造るので、安価な単一素材となり、裁断片部４、５、６を圧延部Ｋにより熱変形させることで自由に中空立体状の造形体７、８、１０〜１６、１８〜２０、２２を造ることができる。透明あるいは着色性のビーズ２４を用いることにより、ビーズ２４が新鮮味を帯びたアクセントとなって装飾性が一層向上する。裁断片部４、５、６を熱変形させて台布２１上に接着させて組み合わせることにより、様々な中空立体状の装飾用造形体を簡単な手作業で手軽に造ることができて装飾工芸の普及・拡販に寄与する。なお、ビーズ２４を接着する際、ビーズ２４の接着領域は、細紐部２３同士の間に限らず、裁断片部４、５、６をはじめ造形体７、８、１０〜１６、１８〜２０、２２などの任意の領域に自由に接着することができる。細紐部２３の代わりに、ビーズを数珠つなぎに連続配列してもよいし、着色ワイヤー、組紐、細帯、細長リボンあるいはモールなどの装飾手段を用いてもよい。
【００１７】
図１１は椿など他の切花を模した中空立体状のコサージュ２６を示す。このコサージュ２６では、短円筒状の花芯部２８の外周部に細長なビーズ２７を放射状に接着し、花芯部２８の外周部に花弁状の造形体２９を複数枚接着して中空立体状に造形している。各造形体２９には、真珠色をなす多数の粒子状のビーズ３０を接着した鱗状領域を２個所に形成している。各造形体２９の鱗状領域の間には、多数の着色性のビーズ３１を接着して効果的な装飾性を確保している。切花の茎部をなす造形体３２には、茎部の軸方向に沿って三列の縦筋部を多数のビーズ３３、３４、３５の接着により形成している。
【００１８】
茎部のうち造形体２９に接近する部分には、多数のビーズ３６、３７、３８を接着して弧状の装飾部を形成している。複数枚の葉をなす中空立体状の造形体３９は、茎部の造形体３２に接着により連結されている。造形体３２には、葉脈に沿って様々に着色された多数のビーズ４１、４２、４３により葉脈群を形成している。このコサージュ２６によれば、大小様々で多様に彩色されたビーズ２７、３０、３１、３３〜３５、３６〜３８、４１〜４３により装飾性のアクセントが付与されて審美性が向上する。
【００１９】
なお、上記実施例ではコサージュ２５、２６を具体例として説明したが、自然物、動植物などを対象とするブローチやアクセサリー、家屋の玄関の置物や額縁に入れて飾る各種のインテリアなどの装飾造形体に適用してもよい。
ビーズの直径は１〜４ｍｍで高さ寸法は２〜６ｍｍの範囲に設定したが、その直径は１〜８ｍｍで高さ寸法は２〜１２ｍｍの範囲であってもよい。積層布３を形成する繊維性布体１、２は、純粋な天然繊維に代わって天然繊維にポリエステル繊維などの合成繊維を５〜１０％の割合で混合してもよい。その他、中空立体状の装飾造形体は、新製品の発売や新店舗の開業時などに配付するノベルティとして使用できる。
【図面の簡単な説明】
【図１】積層布を示す分解斜視図である。
【図２】積層布から裁断片部を造る方法を示す斜視図である。
【図３】裁断片部から造形体を造る方法を示す斜視図である。
【図４】造形体を作製する方法を示す斜視図である。
【図５】細紐部とともに造形体を作製する方法を示す斜視図である。
【図６】積層布から各種の造形体を造る方法を示す斜視図である。
【図７】コサージュを作製する過程を示す分解斜視図である。
【図８】コサージュを作製する過程を示す斜視図である。
【図９】コサージュを作製する過程を示す斜視図である。
【図１０】コサージュを示す斜視図である。
【図１１】他のコサージュを示す斜視図である。
【符号の説明】
１、２　繊維性布体
３　積層布
４、５、６　裁断片部
７、８、１０〜１５、１８〜２０、２２、２９、３２、３９　造形体
２１　台布
１７、２３　細紐部
２４、２７、３０、３１、３３〜３５、３６〜３８、４１〜４３　ビーズ
２５、２６　コサージュ（中空立体状の装飾造形体）
Ｄ　接着剤
Ｋ　圧延部
【図１】
2004073540.tif 000003
【図２】
2004073540.tif 000004
【図３】
2004073540.tif 000005
【図４】
2004073540.tif 000006
【図５】
2004073540.tif 000007
【図６】
2004073540.tif 000008
【図７】
2004073540.tif 000009
【図８】
2004073540.tif 000010
【図９】
2004073540.tif 000011
【図１０】
2004073540.tif 000012
【図１１】
2004073540.tif 000013